(57)【要約】矩形或いは任意形状を有する一つ以上のオブジェクトの符号化データを含むデジタルデータを記録するデジタルデータ記録装置において、前記デジタルデータを各オブジェクト毎の符号化データに分離するデータ分離部（１０１）と、前記分離された各オブジェクト毎の符号化データを復号するオブジェクト復号部（１０２）と、前記分離された各オブジェクト毎の符号化データから任意のオブジェクトの符号化データを選択するオブジェクト選択部（１０３）と、前記選択された符号化データを多重化するデータ多重化部（１０４）と、前記多重化された符号化データを記録媒体に記録する記録装置（１０５）とを備えたものである。
2003039146.tif 000002
【特許請求の範囲】
【請求項１】
矩形或いは任意形状を有する一つ以上のオブジェクトの符号化データを含むデジタルデータを記録するデジタルデータ記録装置において、
前記デジタルデータを各オブジェクト毎の符号化データに分離するデータ分離部と、
前記分離された各オブジェクト毎の符号化データを復号するオブジェクト復号部と、
前記分離された各オブジェクト毎の符号化データから任意のオブジェクトの符号化データを選択するオブジェクト選択部と、
前記選択された符号化データを多重化するデータ多重化部と、
前記多重化された符号化データを記録媒体に記録するデータ記録部とを備えたことを特徴とするデジタルデータ記録装置。
【請求項２】
請求の範囲第１項に記載のデジタルデータ記録装置において、
前記オブジェクト選択部にて選択可能なオブジェクトの一覧を選択画面として生成するオブジェクト選択画面生成部を備えたことを特徴とするデジタルデータ記録装置。
【請求項３】
請求の範囲第１項に記載のデジタルデータ記録装置において、
前記デジタルデータに含まれる各オブジェクトの合成位置を示す記述情報に従って、前記オブジェクトを合成した選択画面を生成するオブジェクト選択画面生成部を備えたことを特徴とするデジタルデータ記録装置。
【請求項４】
請求の範囲第２項又は第３項に記載のデジタルデータ記録装置において、
前記オブジェクト選択画面生成部は、前記選択画面上に前記オブジェクトを選択操作するためのポインタを生成して表示させることを特徴とするデジタルデータ記録装置。
【請求項５】
請求の範囲第１項乃至第４項のいずれかに記載のデジタルデータ記録装置において、
前記オブジェクト選択部にて選択されたオブジェクトの表示形態を変化させることを特徴とするデジタルデータ記録装置。
【請求項６】
請求の範囲第１項乃至第５項のいずれかに記載のデジタルデータ記録装置において、
前記オブジェクト選択部にて選択されたオブジェクトの符号化データのデータ量を削減するデータ量削減部を備えたことを特徴とするデジタルデータ記録装置。
【請求項７】
請求の範囲第６項に記載のデジタルデータ記録装置において、
前記データ量削減部にてデータ量を削減する手法として選択可能なものを一覧表示することを特徴とするデジタルデータ記録装置。
【発明の詳細な説明】
技術分野
本発明は、矩形或いは任意形状を有する一つ以上のオブジェクトの符号化データを含むデジタルデータを記録するデジタルデータ記録装置に関するものである。
背景技術
図１２はデジタルテレビ放送の受信記録装置の概略構成を示している。図１２において、１２０１は受信した放送データを一時的に蓄えておくデータ受信バッファ、１２０２は多重化されている音声、画像データを分離するデータ分離部、１２０３、１２０４は分離された音声、画像データを一時的に蓄えておく復号バッファ、１２０５、１２０６は各データを復号するデータ復号部、１２０７は復号されたそれぞれのデータを合成する復号データ合成部、１２０８は受信したデータを記録する記録装置である。
放送データには画像データと音声データが含まれており、受信した放送データはデータ受信バッファ１２０１に蓄えられる。受信したデータには複数チャネルのデータが含まれているが、その中から希望のチャネルのデータのみ次の段階に送られる。
放送データを記録する場合には、送られたデータは記録装置１２０８にて記録媒体に記録される。一方、表示装置側では、送られたデータはデータ分離部１２０２で画像データ、音声データに分離される。分離されたデータはそれぞれの復号バッファ１２０３、１２０４に一旦蓄えられる。蓄えられたデータはデータ復号部１２０５、１２０６で復号され、復号された画像と音声は復号データ合成部１２０７にて合成されて出力される。
さて、従来の動画像符号化技術として、ＭＰＥＧ−２、Ｈ２６３、ＭＰＥＧ−４等の国際標準方式が知られている。これらの方式では、入力画像を複数のブロックに分割し、動き補償・予測、直交変換を行った後、変換係数の量子化、さらにエントロピ符号化を用いた可変長符号化を行うことにより高能率な符号化を実現している。
ＭＰＥＧ−４では、符号化を行う際、入力画像を人物等の動きの有る部分と背景等の動きの無い部分に切り分け、その切り分けられた部分画像毎に画像データを符号化することも行われている。ここでは、切り分けられた個々の部分画像データ（画像オブジェクト）やそれらに付随する音声データ（音声オブジェクト）をあわせてオブジェクトと呼ぶ。入力画像から切り分けられるオブジェクトには、矩形形状のオブジェクトや任意形状のオブジェクトがある。
図１４はオブジェクトを用いた画像符号化の例を示している。図１４において、１４０１、１４０９は入力画像、１４０２〜１４０４は入力画像から切り出されたオブジェクト、１４０５〜１４０８は各オブジェクトを符号化した符号化データを示している。
図１４の例では、入力画像１４０１から３つのオブジェクト１４０２〜１４０４が抽出され、それぞれが符号化されデータとして蓄えられる。また、背景画像１４０９もオブジェクトの１つとして、符号化されデータとして蓄えられる。蓄えられた符号化データは多重化され、復号装置へと送られる。
図１３はオブジェクト符号化されたデータの復号装置の概略構成を示す。図１３において、１３０１は受信した放送データを一時的に蓄えておくデータ受信バッファ、１３０２は多重化されている複数のオブジェクトの符号化データを分離するデータ分離部、１３０３、１３０４は分離された画像オブジェクトおよび音声オブジェクトの符号化データをそれぞれ一時的に蓄えておく復号バッファである。
また、１３０５、１３０６は各オブジェクトの符号化データを復号するデータ復号部、１３０７、１３０８は復号された各オブジェクトのデータを一時的に蓄えておく合成メモリ、１３０９は合成メモリに蓄えられた各オブジェクトのデータを合成するオブジェクト合成部、１３１０は受信したデータを記録する記録装置である。
図１３に示すように、受信された放送データはデータ受信バッファ１３０１に一旦蓄えられる。受信したデータには複数チャネルのデータが含まれているが、その中から希望のチャネルのデータのみ次の段階に送られる。放送データを記録する場合には、送られたデータは記録装置１３１０にて記録媒体に記録される。
一方、表示側では、送られたデータはデータ分離部１３０２で各オブジェクト毎に分離される。分離された音声、画像のそれぞれのオブジェクトの符号化データは復号バッファ１３０３、１３０４に一旦蓄えられる。蓄えられた符号化データは指示されたタイミングでオブジェクト復号部１３０５、１３０６にて復号される。
復号された各オブジェクトのデータは合成メモリ１３０７、１３０８に書き込まれる。合成メモリ１３０７、１３０８に書き込まれた各オブジェクトのデータは、形状情報、シーン記述に従いオブジェクト合成部１３０９にて合成され、出力される。
上述した復号装置における、画像オブジェクトの復号の様子について、図１５を用いて詳細に説明する。図１５において、１５０１は多重化されたオブジェクトの符号化データを各オブジェクトに分離するデータ分離部、１５０２は分離されたオブジェクトの符号化データを一旦蓄える復号バッファ、１５０３は復号バッファに蓄えられた各オブジェクトの符号化データを復号するオブジェクト復号部、１５０４は復号された各オブジェクトのデータを一旦蓄える合成メモリ、１５０５は合成メモリに蓄えられた各オブジェクトのデータを合成するオブジェクト合成部である。
図１５に示すように、符号化データはデータ分離部１５０１で各オブジェクトに分離される。分離されたオブジェクトの符号化データは復号バッファ１５０２に蓄えられる。復号バッファ１５０２に蓄えられたオブジェクトの符号化データは、指示されたタイミングでオブジェクト復号部１５０３にて復号される。
復号された個別のオブジェクトのデータは合成メモリ１５０４に一旦蓄えられる。
合成メモリ１５０４に蓄えられた各オブジェクトのデータは、データの合成の仕方に関する情報である形状情報、シーン記述に従いオブジェクト合成部１５０５にて合成され、最終的な表示画像となる。
しかしながら、上述した従来の放送受信記録装置においては、図１２に示すように、視聴者がデータを記録する場合には、受信したデータをそのまま記録する、あるいは指定した期間のデータは全て記録し、それ以外のデータは全て記録しない、と言うような記録しか行うことができなかった。
また、図１３、図１５のように、ＭＰＥＧ−４では複数の矩形形状あるいは任意形状のオブジェクトを使用することが可能であるが、これまでＭＰＥＧ−４のオブジェクトを利用した放送番組を受信、記録する装置は現れていない。現在広く使われている放送受信記録装置は、単一の映像信号を受信し、その受信した信号を記録する、あるいは受信した信号を復号して単一の映像信号に変換し表示するものである。
そこで、本発明の目的は、受信した放送データを記録する際、受信した全てのデータを記録するのではなく、受信したデータの中から視聴者が希望したものだけを記録する、あるいは視聴者の希望しないデータはデータを間引いて記録することが可能なデジタルデータ記録装置を提供することである。
発明の開示
本発明は、上記の目的を達成するため、次の構成を有する。
本願の第１の発明は、矩形或いは任意形状を有する一つ以上のオブジェクトの符号化データを含むデジタルデータを記録するデジタルデータ記録装置において、前記デジタルデータを各オブジェクト毎の符号化データに分離するデータ分離部と、前記分離された各オブジェクト毎の符号化データを復号するオブジェクト復号部と、前記分離された各オブジェクト毎の符号化データから任意のオブジェクトの符号化データを選択するオブジェクト選択部と、前記選択された符号化データを多重化するデータ多重化部と、前記多重化された符号化データを記録媒体に記録するデータ記録部とを備えたことを特徴とする。
本願の第２の発明は、前記オブジェクト選択部にて選択可能なオブジェクトの一覧を選択画面として生成するオブジェクト選択画面生成部を備えたことを特徴とする。
本願の第３の発明は、前記デジタルデータに含まれる各オブジェクトの合成位置を示す記述情報に従って、前記オブジェクトを合成した選択画面を生成するオブジェクト選択画面生成部を備えたことを特徴とする。
本願の第４の発明は、前記オブジェクト選択画面生成部が、前記選択画面上に前記オブジェクトを選択操作するためのポインタを生成して表示させることを特徴とする。
本願の第５の発明は、前記オブジェクト選択部にて選択されたオブジェクトの表示形態を変化させることを特徴とする。
本願の第６の発明は、前記オブジェクト選択部にて選択されたオブジェクトの符号化データのデータ量を削減するデータ量削減部を備えたことを特徴とする。
本願の第７の発明は、前記データ量削減部にてデータ量を削減する手法として選択可能なものを一覧表示することを特徴とする。
発明を実施するための最良の形態
まず、本発明の第１実施形態を、図１乃至図３とともに詳細に説明する。図１は本実施形態の概略構成を示すブロック図である。図１において、１０１は多重化された受信データを各オブジェクトに分離するデータ分離都、１０２、１０９は分離された各オブジェクトの符号化データを一旦蓄えておく復号バッファ、１０３はオブジェクトの符号化データの取捨選択を行うオブジェクト選択部、１０４は記録する各オブジェクトの符号化データを多重化するデータ多重化部、１０５は多重化されたデータを記録媒体に記録する記録装置である。
また、１０６は図１３とともに上述した画像オブジェクト復号部１３０５、音声オブジェクト復号部１３０６を内部に含み、分離された各オブジェクトの符号化データを復号するオブジェクト復号部、１０７はオブジェクト選択部１０３へのユーザー操作に伴い、選択されたオブジェクトの表示装置上での見え方を変更するオブジェクト選択画面生成部、１０８は復号したデータおよび各オブジェクトの状態を表示する表示装置である。
なお、図１においては、説明を簡単にするため、復号バッファ（オブジェクト数）を画像、音声とも３としているが、本発明がそれ以外のオブジェクト数にも適用可能であることは言うまでもない。
本実施形態のテレビ放送受信記録装置においては、受信した符号化データは、まずデータ分離部１０１で各オブジェクト毎に分離され、それぞれ復号バッファ１０２に蓄えられる。復号バッファ１０２に蓄えられた個々のオブジェクトの符号化データは、オブジェクト選択部１０３にて記録するか否かの選択が行われ、記録するとされたオブジェクトの符号化データのみデータ多重化部１０４に渡される。オブジェクトがどのように選択されるかは後で説明する。
データ多重化部１０４に渡されたオブジェクトの符号化データは多重化され、多重化されたデータは記録装置１０５により記録媒体へ記録される。オブジェクト選択部１０３は全てのオブジェクトの符号化データを選択しても構わない。その場合は受信した符号化データがそのまま記録されることになる。
次に、オブジェクト選択部１０３の制御方法について説明する。図１に示すように、復号バッファ１０２、１０９に蓄えられた各オブジェクトの符号化データは、オブジェクト選択部１０３へ送られるとともにオブジェクト復号部１０６にも送られる。
ユーザーがオブジェクト選択部１０３に対し録画モードに入るよう指示すると、オブジェクト選択画面生成部１０７はオブジェクト復号部１０６より送信される各オブジェクトのデータ、形状情報、各オブジェクトの合成位置を示すシーン記述情報に従って図２に示すようなオブジェクト選択画面を作成し、表示装置１０８に送る。
オブジェクト選択画面は、図２のように受信した放送データをそのまま表示する画面４０１と、表示している画面４０１中に含まれるオブジェクト（ほぼ同一形状のオブジェクトを含む）を個別に画面４０１内での合成位置に対応（ほぼ対応位置を含む）させて表示するサブウィンドウ４０２〜４０５から構成される。
サブウィンドウ４０２〜４０５に表示されている全てのオブジェクトには初期値として録画するか否かが設定されている。ここでは説明の簡略化のため、初期値として全てのオブジェクトを記録するものとする。なお、オブジェクト復号部１０６より送られてくる各オブジェクトは、それぞれ独立してあるいは区別されて表示されていれば良く、特にウィンドウ表示されていなくても構わない。
ユーザーは図２のオブジェクト選択画面４０１〜４０５を見ながら削除すべきオブジェクトを選択する。選択操作は例えば次のように行う。図２のオブジェクト選択画面にてキー操作を行うと、図３に示すように、サブウィンドウ４０２〜４０５のいずれかに太線の破線にて強調するフレーム（枠）Ｆ１が表示される。ユーザーは目的とするオブジェクトが表示されているサブウィンドウ４０２〜４０５にフレームＦ１を移動し、決定操作をすることによりオブジェクトを選択する。
削除すべき全てのオブジェクトの選択操作が終了した時点で、オブジェクト選択終了操作を行うことにより、オブジェクト選択は完了する。オブジェクトの選択には上記の他に、マウスカーソル等のポインタを操作することにより選択操作を行うことも可能である。当然のことながら、画像以外の音声オブジェクト等に対しても記録するか否かの選択が可能である。
以上のように、本発明の第１の実施形態に従えば、オブジェクト単位で符号化されたデジタルデータを受信、記録する装置において、通常どおり受信した放送データを見ながら、サブウィンドウ等に表示されたオブジェクト一覧の中から記録媒体に記録するオブジェクトデータを任意に選択することが可能となる。
次に、本発明の第２の実施形態について、図４乃至図６とともに説明するが、上記第１の実施形態と同一部分には同一符号を付し、その説明は省略する。第２の実施形態の概略構成は、図４に示すように、基本的には第１の実施形態として説明したものと同じであり、第１の実施形態とはオブジェクト選択画面生成部２０７が異なっている。ここでは、オブジェクト選択画面生成部２０７の動作のみを説明する。
本実施形態においては、第１の実施形態と同様、ユーザーがオブジェクト選択部１０３に対し録画モードに入るよう指示すると、オブジェクト選択画面生成部２０７は図５に示すようなオブジェクト選択画面を表示装置１０８に送る。オブジェクト選択画面は、図５のように受信した符号化データをそのまま表示している画面６０２および、マウスカーソル等のポインタ６０１から構成される。
表示画面内の全てのオブジェクトに対しては、初期値として録画するか否かが設定されている。上述の説明と同様、ここでは初期値として全てのオブジェクトは記録される設定になっていることとする。
ユーザーは図５のオブジェクト選択画面を見ながら削除すべきオブジェクトを選択する。選択操作は例えば次のように行う。図５のオブジェクト選択画面にて、マウスあるいはカーソルキー等でポインタ６０１を動かす。ポインタ６０１が選択可能なオブジェクトの上に重なると、図６に示す７０１のようにそのオブジェクトは色や輝度が変わる。これは、オブジェクト周辺の色や輝度が変わる、あるいはオブジェクトがフレーム（枠）で囲まれるように表示しても良い。
ユーザーは削除したいオブジェクトの上にポインタを移動し、決定操作を行う。削除すべき全てのオブジェクトの選択操作が終了した時点で、オブジェクト選択終了操作を行うことにより、オブジェクト選択は完了する。
なお、前述の説明では、オブジェクトを選択するためにマウスカーソル等のポインタ６０１を用いたが、ここでの主旨はどのオブジェクトが操作対象になっているかをユーザーに通知することであり、ポインタ等を使用しなくても構わない。例えば、初期値として、任意のひとつのオブジェクトを操作対象と決め、そのオブジェクトの輝度や色を変えて表示しておき、カーソルキーやボタン等が押される度に操作対象となるオブジェクトを切り替えるようにしても良い。
以上のように、本発明の第２の実施形態に従えば、オブジェクト単位で符号化されたデジタルデータを受信、記録する装置において、受信した放送を見ながら、表示された画面の中のオブジェクトをマウスカーソル等のポインタ６０１により選択することにより、記録媒体に記録するオブジェクトデータを任意に選択することが可能となる。
次に、本発明の第３の実施形態について、図７乃至図１１とともに説明する。上記第１、２の実施形態における記録装置１０５に記録されるデータはオブジェクト選択部１０３で選択されたオブジェクトの符号化データであるが、記録されるオブジュクトの符号化データは、受信したオブジェクトの符号化データがそのままの形で記録されるのに対して、本実施形態では記録する符号化データに対して加工処理を行う。
本実施形態の概略構成を図７に示す。図７において、３０１は多重化された受信データを各オブジェクトに分離するデータ分離部、３０２、３１０はそれぞれ分離された各画像および音声オブジェクトの符号化データを一旦蓄えておく復号バッファ、３０３はオブジェクトの符号化データの選択操作を行うオブジェクト選択部、３０４は選択されたオブジェクトの符号化データを必要に応じて加工するデータ加工部、３０５は記録する各オブジェクトの符号化データを多重化するデータ多重化部、３０６は多重化されたデータを記録媒体に記録する記録装置である。
また、３０７は図１３とともに上述したように受信した符号化データを復号するオブジェクト復号部、３０８はオブジェクト選択部３０３へのユーザー操作に伴い、選択されたオブジェクトの表示装置上での見え方を変更するオブジェクト選択画面生成部、３０９は復号したデータおよびオブジェクトの状態を表示する表示装置である。
なお、図７においては、説明を簡単にするため、復号バッファ（オブジェクト数）を画像、音声ともに３としているが、本発明がそれ以外のオブジェクト数にも適用可能であることは言うまでもない。
本実施形態においては、図７に示すように、受信した符号化データはデータ分離部３０１で各オブジェクト毎に切り分けられ、それぞれ復号バッファ３０２に蓄えられる。復号バッファ３０２に蓄えられた個々のオブジェクトの符号化データは、オブジェクト選択部３０３にて記録するか否かに加え、コマを落とすあるいは解像度を落とす、の選択が行われる。オブジェクト選択部３０３の制御方法については後で説明する。
選択されたオブジェクトの符号化データはデータ加工部３０４に送られ、データの加工が必要なオブジェクトの符号化データに対しては加工処理が行われる。例えば、解像度を落とすよう指示されたオブジェクトの符号化データに対しては、オブジェクトの符号化データを一旦復号した後、解像度を落とし再度符号化を行う、あるいは直交変換係数まで復号した段階で高次の係数を切り捨てる、あるいはＭＰＥＧ−４の機能のひとつである空間スケーラビリティを利用（拡張レイヤを削除）する等の処理を行うことにより、データ削減を行う。
また、コマを落とすよう指示されたオブジェクトの符号化データに対しては、ＭＰＥＧ−４の機能のひとつである時間スケーラビリティを利用（拡張レイヤを削除）する、あるいはＭＰＥＧ−４のフレーム構造を利用したコマ落としを行う。
ここでは、フレーム構造を利用したコマ落としについて説明する。通常、動画像の符号化にはフレーム間予測が行われるが、予測方向の違い、あるいは、予測の有無により３つのピクチャタイプが存在する。図８にこの様子を示す。図８中の実線及び破線の円弧の矢印は、それぞれのフレームの予測方向を示している。
ピクチャタイプには、他のフレームに依存せず独立して符号化されるＩピクチャ（図８では１、８番フレーム）、時間的に直前のＩピクチャあるいはＰピクチャから予測を行うＰピクチャ（図８では２、４、６番フレーム）、時間的に前後のＩピクチャあるいはＰピクチャから予測を行うＢピクチャ（図８では３、５、７、９番フレーム）がある。
この場合、削除されても他のフレームの復号に影響を与えないフレームの符号化データを削除することにより、コマを落とすことが可能になる。例えば図８の場合、Ｂピクチャ（図８では３、５、７、９番フレーム）は削除されても他のフレームの復号に影響を与えないので削除可能であり、Ｂピクチャが削除された後は、Ｉピクチャの直前のＰピクチャ（図８では６番フレーム）も削除することが可能である。
データ加工部３０４で所定の処理が行われたオブジェクトの符号化データはデータ多重化部３０５に送られ、多重化され、記憶装置３０６に送られ記録媒体に記録される。
次に、オブジェクト選択部３０３（図７）の制御方法を説明する。基本的にはオブジェクトを選択する段階までは上記第１、２の実施形態と同じであるので、異なる部分だけを説明する。
まず、図９を用いて説明する。図９は本実施形態におけるオブジェクト選択画面生成部３０８がオブジェクト復号部３０７より送信される各オブジェクトのデータ、形状情報、各オブジェクトの合成位置を示すシーン記述情報に従って作成するオブジェクト選択画面である。図９において、８０１は受信した放送データを通常通り表示する画面で、８０２〜８０５は表示画面８０１に含まれるオブジェクト（ほぼ同一形状のオブジェクトを含む）を個別に画面８０１内での合成位置に対応（ほぼ対応位置を含む）させて表示するサブウインドウである。
図９に示すように、ユーザーが選択したいオブジェクトのサブウインドウに図中で破線太線にて強調して示すフレーム（枠）Ｆ２を移動させ選択操作を行うと、サブメニュー８０６が表示される。
サブメニュー８０６は、例えば、オブジェクトデータをそのまま記録する「記録する」、あるいは「記録しない」の他に、「コマを落す」、「解像度を落す」などの選択肢を表示し、ユーザーはサブメニュー８０６の選択肢の中から任意に選択可能とする。
操作を行いたい全てのオブジェクトに対して選択操作が終了したら、選択終了操作を行うことによりオブジェクト選択は完了する。
次に、図１０を用いて説明する。図１０は本実施形態におけるオブジェクト選択画面生成部３０８が作成するオブジェクト選択画面である。図１０において、９０２は受信した放送データを通常通り表示する画面、９０１は表示画面に含まれるオブジェクトを選択するためのマウスカーソル等のポインタである。
図１０に示すように、ユーザーが選択したいオブジェクトの上にポインタ９０１を移動させ選択操作を行うと、サブメニュー９０３が表示される。尚、サブメニュー９０３は、前記サブメニュー８０６と同一構成としている。ユーザーはサブメニュー９０３の中から、オブジェクトデータをそのまま記録する、あるいは記録しないの他に、コマ落しを行う、解像度を落とすなどの操作を選択することができる。操作を行いたい全てのオブジェクトに対して選択操作が終了したら、選択終了操作を行うことによりオブジェクト選択は完了する。
なお、符号化データの加工としては、上記のものの他に、画像データの拡大、縮小、回転あるいは色変更を行う、また、音声データのミュート、再生速度の変更、他の音声データへの変更等の処理を用いることも可能である。
以上のように、本発明の第３の実施形態に従えば、オブジェクト単位で符号化されたデジタルデータを受信、記録する装置において、任意の選択されたオブジェクトの符号化データのコマ数を間引く、あるいは解像度を下げる等の処理を行うことにより、記録媒体に記録するデータ量を削減することが可能となる。
なお、以上の説明では、符号化されたデジタルデータの放送を用いてきたが、本発明の用途は放送のみに限られるものではない。例えば、既にディスク、テープ、個体メモリ等に記録された符号化データを入力とし、その符号化データの中から任意のオブジェクトのみを選択し、別途記録することも可能である。
また、以上の説明では、オブジェクトの選択は復号されたオブジェクトを表示装置上で確認した後、ユーザーが選択操作を行う例について述べたが、予めデジタルデータ中に含まれるオブジェクトが分かっている場合には、記録開始前にオブジェクト選択部に対して記録媒体に記録するオブジェクトのＩＤ等を設定しておくことも可能であり、オブジェクト選択画面生成部、表示装置を備えていない構成も可能である。
さらに、以上の説明では、任意形状のオブジェクトのみが使われているが、例えば、図１１に示すように、任意形状のオブジェクトを１００２のような矩形形状のオブジェクトで示す場合であっても、本発明を適用することが可能である。
以上のように、本発明によれば、オブジェクト単位で符号化が行われたデジタルデータを記録する装置において、受信したオブジェクトデータの中から任意のオブジェクトを選択して記録することが可能となり、データ記録時の記録媒体の使用量を削減することが可能になる。
また、通常どおり受信したデータを画面に表示しながら、サブウインドウ等に表示されたオブジェクト一覧の中から記録媒体に記録するオブジェクトデータを任意に選択することが可能となる。
さらに、表示された画面の中のオブジェクトをポインタで選択することにより、記録媒体に記録するオブジェクトデータを任意に選択することが可能となる。
そしてまた、任意の選択されたオブジェクトデータのコマ数を間引く、あるいは解像度を下げる等の処理を行うことにより、記録媒体に記録するデータ量を削減することが可能となる。
産業上の利用可能性
本発明に係るデジタルデータ記録装置は、オブジェクト単位で符号化が行われたデジタルデータを復号、記録するにあたり、ユーザーの希望に応じて任意にオブジェクトの復号化量を制御可能とするデジタルデータ記録装置に適している。
【図面の簡単な説明】
図１は、本発明の第１の実施形態におけるデジタルデータ記録装置の概略構成を示すブロック図である。
図２は、本発明の第１の実施形態におけるオブジェクト選択時の表示画面例を示す説明図である。
図３は、本発明の第１の実施形態におけるオブジェクト選択時の表示画面例を示す説明図である。
図４は、本発明の第２の実施形態におけるデジタルデータ記録装置の概略構成を示すブロック図である。
図５は、本発明の第２の実施形態におけるオブジェクト選択時の表示画面例を示す説明図である。
図６は、本発明の第２の実施形態におけるオブジェクト選択時の表示画面例を示す説明図である。
図７は、本発明の第３の実施形態におけるデジタルデータ記録装置の概略構成を示すブロック図である。
図８は、符号化の際におけるフレームの予測、依存関係を示す説明図である。
図９は、本発明の第３の実施形態におけるオブジェクト選択時の表示画面例を示す説明図である。
図１０は、本発明の第３の実施形態におけるオブジェクト選択時の表示画面例を示す説明図である。
図１１は、本発明のその他の実施形態におけるオブジェクト選択時の表示画面例を示す説明図である。
図１２は、従来のデータ受信記録装置の概略構成を示すブロック図である。
図１３は、従来のオブジェクト符号化された符号化データの受信記録装置の概略構成を示すブロック図である。
図１４は、オブジェクト符号化を示す説明図である。
図１５は、オブジェクト符号化された符号化データの復号装置の概略構成を示すブロック図である。
【図１】
2003039146.tif 000003
【図２】
2003039146.tif 000004
【図３】
2003039146.tif 000005
【図４】
2003039146.tif 000006
【図５】
2003039146.tif 000007
【図６】
2003039146.tif 000008
【図７】
2003039146.tif 000009
【図８】
2003039146.tif 000010
【図９】
2003039146.tif 000011
【図１０】
2003039146.tif 000012
【図１１】
2003039146.tif 000013
【図１２】
2003039146.tif 000014
【図１３】
2003039146.tif 000015
【図１４】
2003039146.tif 000016
【図１５】
2003039146.tif 000017
【国際調査報告】
2003039146.tif 000018
2003039146.tif 000019